(57)【要約】移動電子通信機器における電子データの供給の許可を制御する方法において、データへのアクセスを許可コードに依存して行い、このアクセスを同一または異なる移動通信機器において相互作用的に行うことができる。これによってデータアクセスを規則のセットに応じて行うことができ、これらの規則のセットは物理的で具体的な収集対象または交換対象の通常の処理または自然な母集団の特性に相応する。【特許請求の範囲】
【請求項１】
電子通信機器における電子データの供給の許可を制御する方法であって、
前記電子データはそれぞれデータレコード識別子でもって識別されるデータレコードとして存在し、電子通信機器における電子データレコードの供給の許可を許可コードに依存して行う、電子通信機器における電子データの供給の許可を制御する方法において、
第１の電子データレコードの供給に関する第１の許可コードの変更は、第２の電子データレコードの供給に関する第２の許可コードに依存することを特徴とする、電子通信機器における電子データの供給の許可を制御する方法。
【請求項２】
許可コードの変更を以下の規則の選択により行う、すなわち、
規則１（「引渡」）：
ユーザ入力によるトリガ後に、第１の通信機器における、第１のデータレコード識別子でもって識別される電子データレコードの許可コードの変更、及び、第２の通信機器における、前記第１のデータレコード識別子でもって識別される電子データの許可コードの逆の変更、
規則２（「変異」）：
ユーザ入力によるトリガ後に、第１の通信機器における。第１のデータレコード識別子でもって識別される電子データレコードの許可コードの変更、及び、第２のデータレコード識別子でもって識別されるデータレコードの許可コードの逆の変更、
規則３（「伝播」）：
第１の通信機器における、第１のデータレコード識別子でもって識別される電子データレコードの、第２の通信機器における、該第１のデータレコード識別子でもって識別されるデータレコードの許可コードへの適合、
規則４（「伝染」）：
第１の通信機器における、第１のデータレコード識別子でもって識別される電子データレコードの許可記号の、第２のデータレコード識別子でもって識別されるデータレコードの許可コードへの適合、
規則５（「時間制御」）：
第１の通信機器における、第１のデータレコード識別子でもって識別される電子データレコードの許可コードの、時間測定に依存してトリガされる制御信号に依存する変更、
規則６（「ランダム制御」）：
第１の通信機器における、第１のデータレコード識別子でもって識別される電子データレコードの許可コードの（疑似）ランダムアルゴリズムに依存する変更、
の選択により行う、請求項１記載の方法
【請求項３】
偶発的な許可コードをパラメータ量によって表し、電子通信機器における電子データレコードの供給の許可を、前記許可コードが所定のパラメータ部分量に属しているか否かに依存して行う、請求項１または２記載の方法。
【請求項４】
前記偶発的な許可コードを２進文字０及び１によって表し、電子通信機器における電子データレコードの供給の許可を、前記許可コードが値１を取る場合に行い、それ以外の場合には拒絶する、請求項３記載の方法。
【請求項５】
電子通信機器における許可コードの状態に関する情報をサーバにも記憶する、請求項１から４までのいずれか１項記載の方法。
【請求項６】
電子データの供給の許可または電子通信機器における許可コードの状態をサーバによっても制御する、請求項５記載の方法。
【請求項７】
電子通信機器間のデータ通信を標準ＩｒＤＡ、ＨｏｍｅＲＦ、ＩＥＥＥ  ８０２．１１またはブルートゥースに基づき行う、請求項１から６までのいずれか１項記載の方法。
【請求項８】
前記データレコードは実質的に画像及び／又はサウンドトラック及び／又はビデオクリップを包含する、請求項１から７までのいずれか１項記載の方法。
【請求項９】
前記電子通信機器を移動電子通信機器として構成する、請求項１から８までのいずれか１項記載の方法。
【発明の詳細な説明】
【技術分野】
【０００１】
本発明は、電子通信機器、例えば移動通信端末機器における電子データを許可及び伝送する方法に関する。
【０００２】
電子通信端末機器における電子データの供給の許可を制御するための従来の方法では、そのような機器における電子データの供給はユーザ入力によってトリガされる。
【０００３】
電子通信端末機器は例えばＰＣのような定置した機器、また移動機器である。ここで移動電子通信機器とはこの関係においては、最広義の意味で可搬性であり且つデータ伝送用の装置を装備している全ての電子機器（移動電話、パームトップなど）を表す。電子データは視覚的及び／又は音響的に供給することができる。このために電子通信機器は供給装置を有し、この供給装置は場合によっては追加機器である。供給すべきデータはデータレコードとして存在する。データレコードは識別のために、「コンテンツ」の他にデータレコード識別子を包含する。
【０００４】
データレコードへのアクセス、すなわちユーザ指示に基づくデータレコードの供給の許可は、さらに許可コードに依存する（表１を参照されたい）。機器Ｇ１におけるデータレコードＤ１へのアクセスは許可コードに依存して承認または拒絶される。
【０００５】
例えば名刺、Ｅメイルまたはファイル転送として電子データが伝送される場合には、データは送信器から受信器にコピーされる。
【０００６】
伝送されるデータを原則として規則的に、受信側の機器と同様に送信側の機器においても供給することができる。ある機器におけるデータレコードへのアクセスが別の機器におけるデータレコードへのアクセスを制限または制御し、このようにして削減することに関しは措置は講じられない。それは例えば、伝送されるデータへのアクセスが伝送の終了後にも送信側において維持されたままであるという影響を受けることなく、伝送されるデータへのアクセスが受信側において生じる場合である。
【０００７】
データ伝送の際のいわば内在しているコピーの作成及びこれによって自動的に行われるデータの複製は、ディジタルデータが削減されずに、興味深くまた価値のある収集対象に発展する可能性があるという結果になり、この収集対象が例えば類似の興味分野を持つ私人（コレクタ）間で交換され、商業的な収集取引の対象にも成りうる。したがって殊に電子データの交換の際には、物理的で具体的な収集対象または交換対象の処理に相応し、且つ所定のルールに従うことができるプロセスもサポートされない。
【０００８】
本発明の課題は、上述の欠点を解決し、請求項１の上位概念による、電子通信機器、例えば移動電子通信端末機器における電子データの供給の許可の制御方法を提供することである。
【０００９】
この課題は、請求項１の方法の特徴により解決される。本発明の有利な実施形態は従属請求項に記載されている。
【００１０】
電子通信機器における電子データの供給の許可を制御するために、本発明による方法では、電子データはそれぞれデータレコード識別子でもって識別されるデータレコードとして存在し、電子通信機器における電子データレコードの供給の許可は許可コードに依存して行われ、第１の電子データレコードの供給に関する第１の許可コードの変更は、第２の電子データレコードの供給に関する第２の許可コードに依存する。
【００１１】
有利には本発明による方法は移動通信機器において使用される。
【００１２】
有利な実施形態においては、電子通信機器における電子データの供給の許可は、物理的で具体的な収集対象または交換対象の通常の処理または自然な母集団の特性に相応する規則のセットによる許可コードを基礎としたモデリングによって行われる。
【００１３】
表１にはデータレコードＤ１へのアクセスのモデリングが示されている。許可コードがセットされていれば（肯定）、機器Ｇ１はデータレコードＤ１にアクセスする。これに対して許可コードがセットされていなければ（否定）、機器Ｇ１のデータレコードＤ１へのアクセスは拒絶される。
【００１４】
表２には、例えばデータレコードＤ１の機器Ｇ１から機器Ｇ２への引渡をどのようにしてモデリングできるかが示されている。引渡の前には、Ｇ１においてはＤ１へのアクセスが行われるが、Ｇ２においてはアクセスは行われない。引渡後には、その反対のことが行われる。Ｇ２及びＧ１における許可コードは逆になるように変更される。
【００１５】
表３には、２つの引渡過程を組み合わせることによって、機器Ｇ１におけるデータレコードＤ１と機器Ｇ２におけるデータレコードＤ２をどのようにして交換できるかが示されている。交換前には、Ｇ１においてはＤ１へのアクセスが行われるが、Ｄ２へのアクセスは行われず、Ｇ２においてはＤ２へのアクセスが行われるが、Ｄ１へのアクセスは行われない。交換後はその反対のことが行われる。Ｇ２及びＧ１における許可コードは逆になるように変更される。
【００１６】
別の実施形態では、自然な母集団における行程と類似して、同一の機器におけるデータレコードＤ１のデータレコードＤ２への「変異」を以下のようにしてモデリングすることができる。すなわち、Ｄ１の許可コードは変異前の肯定から変異後の否定に変更され、Ｄ２の許可コードがこれとは逆に変更されることによってモデリングされる。
【００１７】
別の実施形態では、データレコードＤ１の機器Ｇ１から機器Ｇ２への「伝播」を、Ｇ２におけるＤ１の許可コードがＧ１におけるＤ１の許可コードに適合されることによってモデリングすることができる。これによって、アクセスも非アクセスもＧ１からＧ２へ伝播することができる。
【００１８】
ある実施形態では「交配」を、２つのデータレコード（「両親」）にアクセスすると、第３のデータレコード（「子供」）へのアクセスが許可されることによってモデリングすることができる。
【００１９】
別の実施形態では、機器Ｇ１におけるデータレコードＤ１のデータレコードＤ２への「伝染」を、Ｇ１におけるＤ１の許可コードがＧ１におけるＤ２の許可コードに適合されることによってモデリングすることができる。
【００２０】
別の実施形態では、「時間制御」によるデータレコードＤ１の「誕生」ないし「死亡」を、時間測定に依存してトリガされる制御信号に依存して、Ｄ１の許可コードがアクセスないし非アクセスに切り替えられることによってモデリングすることができる。
【００２１】
別の実施形態では、機器Ｇ１におけるデータレコードＤ１へのアクセスのランダムな変更を、Ｇ１におけるＤ１の許可コードが（疑似）ランダムアルゴリズムに依存して行われることによってモデリングすることができる。
【００２２】
別の実施形態では、前述の規則から組み合わせたものを選択して使用することができる。
【００２３】
別の実施形態では、許可コードはパラメータ量、例えば負ではない整数によってモデリングされる。データレコードへのアクセス、すなわちユーザ入力に基づく供給の許可は、データレコードの許可コードが所定のパラメータ部分量、例えば量｛０｝に属するか否かに依存して行われる。このようにして重複して存在するデータレコードを備えた母集団をモデリングすることができる。「誕生」、「死亡」、「引渡」及び「交換」のモデリングは、表４ａ、４ｂ、５及び６に示されている。
【００２４】
別の実施形態では、ランダムな許可コードが２進文字、例えば１＝アクセス、０＝非アクセスによってモデリングされる。
【００２５】
別の実施形態では、許可コードに関する情報がサーバにも記憶される。このようにしてサーバのユーザは、ゲーム（Spiel , game）の主催者として振る舞い、また例えば電子通信機器のユーザから参加料を徴収することができる。
【００２６】
これに関する実施形態では、電子通信機器における許可コードをサーバが制御することもできる。これによって別のルールを実現することができる。
【００２７】
別の実施形態では、電子通信機器、例えば移動通信機器間のデータ通信は例えば標準ＩｒＤＡ、ＨｏｍｅＲＦ、ＩＥＥＥ  ８０２．１またはブルートゥースを基礎として行われる。
【００２８】
有利には、供給すべきデータレコードは実質的に、画像及び／又はサウンドトラック及び／又はビデオクリップを包含する。
【００２９】
【表１】
2004532580.tif 000002
【００３０】
【表２】
2004532580.tif 000003
【００３１】
【表３】
2004532580.tif 000004
【００３２】
【表４】
2004532580.tif 000005
【００３３】
【表５】
2004532580.tif 000006
【００３４】
【表６】
2004532580.tif 000007
【国際公開パンフレット】
2004532580.tif 000008
2004532580.tif 000009
2004532580.tif 000010
2004532580.tif 000011
2004532580.tif 000012
2004532580.tif 000013
2004532580.tif 000014
2004532580.tif 000015
2004532580.tif 000016
2004532580.tif 000017
2004532580.tif 000018
2004532580.tif 000019
2004532580.tif 000020
2004532580.tif 000021
【国際公開パンフレット（コレクトバージョン）】
2004532580.tif 000022
【国際調査報告】
2004532580.tif 000023
2004532580.tif 000024
2004532580.tif 000025
2004532580.tif 000026